(57)【要約】      （修正有）【課題】帽子と組み合わせることができるヘッドフォン構造を提供する。【解決手段】帽子と組み合わせることができるヘッドフォン構造は、ヘッドフォン本体１、嵌合挟持ユニットによりなる。嵌合挟持ユニットは共に環状の嵌合固定台２、嵌合固定部品３により構成する。ヘッドフォン本体１はスピーカー台１１、スピーカーケースカバー１３、交換可能な外カバー蓋１４を備え、スピーカー１２４をスピーカー台１１片側の環状フランジ１２が形成する収容設置区１２１内に設置し、収容設置区１２１内にはスピーカー１２４の音声を通過させる音貫通孔槽１２２を設置する。スピーカーケースカバー１３の外側には、外カバー蓋１４を設置し、スピーカー台１１の反対側には、嵌合フック部１２３１を備える少なくとも１段以上の円弧状嵌合片１２３を設置する。【選択図】図１
0003164772.tif 000002
【実用新案登録請求の範囲】
【請求項１】
ヘッドフォン本体、嵌合挟持ユニットにより組成し、
前記嵌合挟持ユニットは、嵌合固定台、嵌合固定部品により構成し、前記嵌合固定台、前記嵌合固定部品は共に、中孔を備える環状を呈し、
前記ヘッドフォン本体は、スピーカー台、スピーカーケースカバー、交換可能な外カバー蓋を備え、
スピーカーは、前記スピーカー台片側の環状フランジが形成する収容設置区内に設置し、ネジにより、前記スピーカー台と前記スピーカーケースカバーとは螺合して結合され、
前記スピーカー台の反対側には、少なくとも１段以上の円弧状嵌合片を設置し、前記各円弧状嵌合片の頂点縁には共に、嵌合フック部を形成し、
前記嵌合固定台と前記スピーカー台とが結合する時、前記円弧状嵌合片を、前記嵌合固定台中孔の孔縁に嵌合することで、前記嵌合固定台と前記スピーカー台を一体に結合させることができ、
前記嵌合固定台他側の周縁に近い位置上には、少なくとも１組の嵌合フックを設置し、別に、前記嵌合固定部品上には、前記嵌合固定台嵌合フックと相互に対応する嵌合孔を設置し、
前記嵌合固定部品内面には、軟質カバーを嵌めて設置し、装着の快適感を達成することができ、
綿糸或いは毛糸で編み、或いは前記嵌合固定台の嵌合フックを通す孔を予め設置した帽子に使用する時には、ヘッドフォン本体に結合する嵌合固定部品の嵌合フックを、帽子側辺の位置に対応させ、帽子或いは予め設置する孔に通した後、前記嵌合固定部品を、帽子内面に位置させ、前記嵌合固定台の嵌合フックを、前記嵌合固定部品の嵌合孔に通して組み合わせ、
これにより、前記ヘッドフォン本体は、帽子側辺に固定され、こうして帽子をかぶっている時でも、音楽を聴く目的を達成することができることを特徴とする帽子と組み合わせることができるヘッドフォン構造。
【請求項２】
前記スピーカー台片側の環状フランジが形成する収容設置区内には、前記スピーカーの音声を通過させる音貫通孔槽を設置することを特徴とする請求項１に記載の帽子と組み合わせることができるヘッドフォン構造。
【請求項３】
前記交換可能な外カバー蓋は、各種造形、図案とすることができ、好みに応じて、異なる造形或いは図案の外カバー蓋を組み合わせて、装飾の目的を達成することができることを特徴とする請求項１に記載の帽子と組み合わせることができるヘッドフォン構造。
【請求項４】
前記交換可能な外カバー蓋上には、陥没面を設置することができ、陥没面位置には、図案或いは広告文字を備えるシールを接着することができることを特徴とする請求項１に記載の帽子と組み合わせることができるヘッドフォン構造。
【請求項５】
ヘッドフォン本体、挟持固定部品により組成し、
前記ヘッドフォン本体は、スピーカー台、スピーカーケースカバー、交換可能な外カバー蓋を備え、
スピーカーは、前記スピーカー台片側の環状フランジが形成する収容設置区内に設置し、ネジにより、前記スピーカー台と前記スピーカーケースカバーとは螺合して結合され、
前記ヘッドフォン本体反対側のスピーカー台側面位置には、中孔を備え、しかも頂点端には、弾性挟持固定部を備える挟持固定部品を形成し、前記弾性挟持固定部頂点部には、挟持固定槽を形成し、
同時に、前記スピーカー台片側に設置する円弧状嵌合片の嵌合フック部を、前記挟持固定部品中孔の孔縁に嵌合し、こうして前記嵌合固定部品と前記ヘッドフォン本体とを一体に結合でき、
前記スピーカー台側面の円弧状嵌合片内面において、軟質カバーを嵌めて設置し、装着の快適感を達成することができ、
使用時には、前記弾性挟持固定部頂点部に形成する挟持固定槽により、野球帽などの帽子の両側下縁部を挟持して固定し、こうして帽子をかぶっている時でも、音楽を聴く目的を達成することができることを特徴とする帽子と組み合わせることができるヘッドフォン構造。
【請求項６】
前記スピーカー台片側の環状フランジが形成する収容設置区内には、前記スピーカーの音声を通過させる音貫通孔槽を設置することを特徴とする請求項５に記載の帽子と組み合わせることができるヘッドフォン構造。
【請求項７】
前記交換可能な外カバー蓋は、各種造形、図案とすることができ、好みに応じて、異なる造形或いは図案の外カバー蓋を組み合わせて、装飾の目的を達成することができることを特徴とする請求項５に記載の帽子と組み合わせることができるヘッドフォン構造。
【請求項８】
前記交換可能な外カバー蓋上には、陥没面を設置することができ、陥没面位置には、図案或いは広告文字を備えるシールを接着することができることを特徴とする請求項５に記載の帽子と組み合わせることができるヘッドフォン構造。
【請求項９】
ヘッドフォン本体、嵌合挟持ユニットにより組成し、
スピーカー台側面の円弧状嵌合片の嵌合フック部により、一面にマジックテープ（登録商標）を備える環状部品中孔の孔縁に嵌合し、
これにより、前記環状部品と前記ヘッドフォン本体とは、一体に結合され、
もう１個の前記環状部品の両面には共に、マジックテープ（登録商標）を設置し、
使用時には、前記環状部品のどちらか一面のマジックテープ（登録商標）を、先ず帽子表面に粘着させ、次に、前記ヘッドフォン本体上に結合するマジックテープ（登録商標）を備える環状部品を、帽子上の前記環状部品外側のマジックテープ（登録商標）に粘着させて接合し、
こうして、前記ヘッドフォン本体は、帽子の両側に接着され、取り外し、取り付けに便利となることを特徴とする帽子と組み合わせることができるヘッドフォン構造。
【考案の詳細な説明】
【技術分野】
【０００１】
本考案は帽子と組み合わせることができるヘッドフォン構造に関し、特にヘッドフォン本体、嵌合挟持ユニットにより組成し、嵌合挟持ユニットは嵌合固定台、嵌合固定部品により構成し、嵌合固定台、嵌合固定部品は共に環状を呈し、ヘッドフォン本体はスピーカー台、スピーカーケースカバー、交換可能な外カバー蓋を備え、スピーカーはスピーカー台片側の環状フランジが形成する収容設置区内に設置し、ネジによりスピーカー台とスピーカーケースカバーとは螺合して結合され、収容設置区内にはスピーカーの音声を通過させる音貫通孔槽を設置し、スピーカーケースカバー外側には、外カバー蓋を設置し、スピーカー台の反対側には、少なくとも１段以上の円弧状嵌合片を設置し、各円弧状嵌合片の頂点縁には、嵌合フック部を形成し、嵌合固定台とスピーカー台とが結合する時、各円弧状嵌合片により嵌合固定台内の孔縁に嵌合し、これにより嵌合固定台とスピーカーダイオードとは一体に結合され、嵌合固定台片側の周縁に近い位置上には、少なくとも１組の嵌合フックを設置し、また嵌合固定部品上には、各嵌合フックと相互に対応する嵌合孔を設置し、綿糸或いは毛糸などで編んだ帽子に使用する際には、嵌合固定台の嵌合フックを帽子側辺の位置に対応させ、帽子に通した後、嵌合固定台の嵌合フックを、帽子内面の嵌合固定部品の嵌合孔に通して組み合わせ、こうしてヘッドフォン本体は、帽子側辺に固定され、帽子をかぶっている時でも、音楽を聴く目的を達成することができる帽子と組み合わせることができるヘッドフォン構造に関する。
【背景技術】
【０００２】
従来のヘッドフォンの大部分は、耳挿入式ヘッドフォンと耳カバー式ヘッドフォンに区分される。
耳挿入式ヘッドフォンは、コンパクトであるため、帽子をかぶっている時に装着しても影響を受けない。
一方、耳カバー式ヘッドフォンは大きく、重く、両耳の耳カバー間をヘッドバンドにより接続し、ヘッドバンドを頭頂に渡し、これにより両側の耳カバーを耳の位置に掛ける。
また、耳カバー式ヘッドフォンは音響効果、音質共に耳挿入式ヘッドフォンより優れている。
しかし、従来の耳カバー式ヘッドフォンは、重く、しかもヘッドバンドを備えるため、使用者が帽子をかぶっている時に装着したのでは非常に不便である。
かつ、耳カバー式ヘッドフォンのヘッドバンドを、帽子の頂点部分に渡したのでは、帽子の美観を損ねてしまい、さらに使用者にとっては不快である。
本考案は、従来の耳カバー式ヘッドフォンの上記した欠点に鑑みてなされたものである。
【考案の概要】
【考案が解決しようとする課題】
【０００３】
本考案が解決しようとする第一の課題は、スピーカー台の反対側に、少なくとも１段以上の円弧状嵌合片を設置し、これによりその位置は、嵌合固定台を結合でき、嵌合固定台片側の周縁に近い位置上には、少なくとも１組の嵌合フックを設置し、これにより対応する嵌合孔を備える嵌合固定部品と迅速に嵌合でき、こうして嵌合固定台の嵌合フックを帽子側辺の位置に対応させ、帽子に通した後、嵌合固定台の嵌合フックを、帽子内面の嵌合固定部品の嵌合孔に通して組み合わせ、こうしてヘッドフォン本体は、帽子側辺に固定され、帽子をかぶっている時でも、音楽を聴く目的を達成することができる帽子と組み合わせることができるヘッドフォン構造を提供することである。
【０００４】
本考案が解決しようとする第二の課題は、スピーカーケースカバー外側には、各種造形、図案を備え、交換可能な外カバー蓋を設置し、好みに応じて、異なる造形或いは図案の外カバー蓋を組み合わせて、装飾の目的を達成することができる帽子と組み合わせることができるヘッドフォン構造を提供することである。
【０００５】
本考案が解決しようとする第三の課題は、外カバー蓋上には、陥没面を設置し、陥没面には、図案、或いは文字を備えるシールを接着することができる帽子と組み合わせることができるヘッドフォン構造を提供することである。
【課題を解決するための手段】
【０００６】
請求項１の考案は、ヘッドフォン本体、嵌合挟持ユニットにより組成し、前記嵌合挟持ユニットは、嵌合固定台、嵌合固定部品により構成し、前記嵌合固定台、前記嵌合固定部品は共に、中孔を備える環状を呈し、前記ヘッドフォン本体は、スピーカー台、スピーカーケースカバー、交換可能な外カバー蓋を備え、スピーカーは、前記スピーカー台片側の環状フランジが形成する収容設置区内に設置し、ネジにより、前記スピーカー台と前記スピーカーケースカバーとは螺合して結合され、前記スピーカー台の反対側には、少なくとも１段以上の円弧状嵌合片を設置し、前記各円弧状嵌合片の頂点縁には共に、嵌合フック部を形成し、前記嵌合固定台と前記スピーカー台とが結合する時、前記円弧状嵌合片を、前記嵌合固定台中孔の孔縁に嵌合することで、前記嵌合固定台と前記スピーカー台を一体に結合させることができ、前記嵌合固定台他側の周縁に近い位置上には、少なくとも１組の嵌合フックを設置し、別に、前記嵌合固定部品上には、前記嵌合固定台嵌合フックと相互に対応する嵌合孔を設置し、前記嵌合固定部品内面には、軟質カバーを嵌めて設置し、装着の快適感を達成することができ、綿糸或いは毛糸で編み、或いは前記嵌合固定台の嵌合フックを通す孔を予め設置した帽子に使用する時には、ヘッドフォン本体に結合する嵌合固定部品の嵌合フックを、帽子側辺の位置に対応させ、帽子或いは予め設置する孔に通した後、前記嵌合固定部品を、帽子内面に位置させ、前記嵌合固定台の嵌合フックを、前記嵌合固定部品の嵌合孔に通して組み合わせ、これにより、前記ヘッドフォン本体は、帽子側辺に固定され、こうして帽子をかぶっている時でも、音楽を聴く目的を達成することができることを特徴とする帽子と組み合わせることができるヘッドフォン構造としている。
請求項２の考案は、前記スピーカー台片側の環状フランジが形成する収容設置区内には、前記スピーカーの音声を通過させる音貫通孔槽を設置することを特徴とする請求項１に記載の帽子と組み合わせることができるヘッドフォン構造としている。
請求項３の考案は、前記交換可能な外カバー蓋は、各種造形、図案とすることができ、好みに応じて、異なる造形或いは図案の外カバー蓋を組み合わせて、装飾の目的を達成することができることを特徴とする請求項１に記載の帽子と組み合わせることができるヘッドフォン構造としている。
請求項４の考案は、前記交換可能な外カバー蓋上には、陥没面を設置することができ、陥没面位置には、図案或いは広告文字を備えるシールを接着することができることを特徴とする請求項１に記載の帽子と組み合わせることができるヘッドフォン構造としている。
請求項５の考案は、帽子と組み合わせることができるヘッドフォン構造は、ヘッドフォン本体、挟持固定部品により組成し、前記ヘッドフォン本体は、スピーカー台、スピーカーケースカバー、交換可能な外カバー蓋を備え、スピーカーは、前記スピーカー台片側の環状フランジが形成する収容設置区内に設置し、ネジにより、前記スピーカー台と前記スピーカーケースカバーとは螺合して結合され、前記ヘッドフォン本体反対側のスピーカー台側面位置には、中孔を備え、しかも頂点端には、弾性挟持固定部を備える挟持固定部品を形成し、前記弾性挟持固定部頂点部には、挟持固定槽を形成し、同時に、前記スピーカー台片側に設置する円弧状嵌合片の嵌合フック部を、前記挟持固定部品中孔の孔縁に嵌合し、こうして前記嵌合固定部品と前記ヘッドフォン本体とを一体に結合でき、前記スピーカー台側面の円弧状嵌合片内面において、軟質カバーを嵌めて設置し、装着の快適感を達成することができ、使用時には、前記弾性挟持固定部頂点部に形成する挟持固定槽により、野球帽などの帽子の両側下縁部を挟持して固定し、こうして帽子をかぶっている時でも、音楽を聴く目的を達成することができることを特徴とする帽子と組み合わせることができるヘッドフォン構造としている。
請求項６の考案は、前記スピーカー台片側の環状フランジが形成する収容設置区内には、前記スピーカーの音声を通過させる音貫通孔槽を設置することを特徴とする請求項５に記載の帽子と組み合わせることができるヘッドフォン構造としている。
請求項７の考案は、前記交換可能な外カバー蓋は、各種造形、図案とすることができ、好みに応じて、異なる造形或いは図案の外カバー蓋を組み合わせて、装飾の目的を達成することができることを特徴とする請求項５に記載の帽子と組み合わせることができるヘッドフォン構造としている。
請求項８の考案は、前記交換可能な外カバー蓋上には、陥没面を設置することができ、陥没面位置には、図案或いは広告文字を備えるシールを接着することができることを特徴とする請求項５に記載の帽子と組み合わせることができるヘッドフォン構造としている。
請求項９の考案は、帽子と組み合わせることができるヘッドフォン構造は、ヘッドフォン本体、嵌合挟持ユニットにより組成し、スピーカー台側面の円弧状嵌合片の嵌合フック部により、一面にマジックテープ（登録商標）を備える環状部品中孔の孔縁に嵌合し、これにより、前記環状部品と前記ヘッドフォン本体とは、一体に結合され、もう１個の前記環状部品の両面には共に、マジックテープ（登録商標）を設置し、使用時には、前記環状部品のどちらか一面のマジックテープ（登録商標）を、先ず帽子表面に粘着させ、次に、前記ヘッドフォン本体上に結合するマジックテープ（登録商標）を備える環状部品を、帽子上の前記環状部品外側のマジックテープ（登録商標）に粘着させて接合し、こうして、前記ヘッドフォン本体は、帽子の両側に接着され、取り外し、取り付けに便利となることを特徴とする帽子と組み合わせることができるヘッドフォン構造としている。
【考案の効果】
【０００７】
本考案の帽子と組み合わせることができるヘッドフォン構造は、耳カバー式ヘッドフォンを迅速に帽子と結合でき、帽子をかぶっている時でも、音楽を聴くことができる。
【図面の簡単な説明】
【０００８】
【図１】本考案の立体分解図である。
【図２】本考案の組み合わせ断面図である。
【図３】本考案の局部拡大詳細図である。
【図４】本考案を綿糸或いは毛糸で編んだ帽子に組み合わせる実施例の立体図である。
【図５】本考案において、好みに応じて各種造形図案を備える外カバー蓋を組み合わせて設置する実施例を示す表示図である。
【図６】本考案の全体設計を楕円形に成型する実施例を示す表示図である。
【図７】本考案において、ヘッドフォン本体片側に弾性挟持固定部を備える挟持固定部品を結合する様子を示す立体分解図である。
【図８】本考案において、ヘッドフォン本体片側に弾性挟持固定部を備える挟持固定部品を結合する様子を示す組み合わせ断面図である。
【図９】本考案において、挟持固定部品により、ヘッドフォン本体を帽子両側に挟持固定する時の実施例を示す立体図である。
【図１０】本考案において、マジックテープ（登録商標）を使用し帽子上に粘着させる別種の実施例の断面図である。
【図１１】本考案において、マジックテープ（登録商標）を使用し帽子上に粘着させる別種の実施例の分解図である。
【考案を実施するための形態】
【０００９】
以下に図面を参照しながら本考案を実施するための最良の形態について詳細に説明する。
【００１０】
図１、２、３、４本考案帽子と組み合わせることができるヘッドフォン構造は、ヘッドフォン本体１、嵌合挟持ユニットにより組成する。
【００１１】
嵌合挟持ユニットは、嵌合固定台２、嵌合固定部品３により構成する。
嵌合固定台２、嵌合固定部品３は共に、中孔２１、３１を備える環状を呈する。
ヘッドフォン本体１は、スピーカー台１１、スピーカーケースカバー１３、交換可能な外カバー蓋１４を備える。
スピーカー１２４は、スピーカー台１１片側の環状フランジ１２が形成する収容設置区１２１内に設置し、ネジにより、スピーカー台１１とスピーカーケースカバー１３とは螺合して結合される。
収容設置区１２１内には、スピーカー１２４の音声を通過させる音貫通孔槽１２２を設置する。
【００１２】
スピーカーケースカバー１３外側には、各種造形、図案を備え、交換可能な外カバー蓋１４を組み合わせて設置する。
これにより、好みに応じて、異なる造形或いは図案の外カバー蓋１４を組み合わせて、装飾の目的を達成することができる(図５参照)。
しかも、外カバー蓋１４上には別に、陥没面１４１を設置することができ、陥没面１４１位置には、図案或いは文字を備えるシールを接着することができる。
【００１３】
スピーカー台１１の反対側には、少なくとも１段以上の円弧状嵌合片１２３を設置し、各円弧状嵌合片１２３の頂点縁には共に、嵌合フック部１２３１を形成する。
嵌合固定台とスピーカー台１１とが結合する時、円弧状嵌合片１２３を、嵌合固定台２中孔２１の孔縁に嵌合することで、嵌合固定台２とスピーカー台１１を一体に結合させることができる。
嵌合固定台２他側の周縁に近い位置上には、少なくとも１組の嵌合フック２２を設置する。
別に、嵌合固定部品３上には、嵌合固定台２嵌合フック２２と相互に対応する嵌合孔３２を設置する。
【００１４】
使用者が、綿糸或いは毛糸で編んだ帽子Aに使用しようとする時には、ヘッドフォン本体１嵌合固定台２に結合する嵌合フック２２を、帽子A側片の位置に対応させ、帽子Aに通した後、嵌合固定部品３を帽子A内面に位置させ、嵌合固定台２の嵌合フック２２を、嵌合固定部品３の嵌合孔３２に通して組み合わせる。
これにより、ヘッドフォン本体１は、帽子A側辺に固定され、こうして帽子Aをかぶっている時でも、音楽を聴く目的を達成することができる。
【００１５】
使用者が、綿糸或いは毛糸などで編んだものではなく、布目が詰まった野球帽などの帽子Bをかぶっている時には、ヘッドフォン本体１片側のスピーカー台１１側面位置に、中孔４１を設置し、しかも頂点端には、弾性挟持固定部品４２を備える挟持固定部品４を形成する。
同時に、スピーカー台１１片側に設置する円弧状嵌合片１２３により、挟持固定部品４中孔４１の孔縁において嵌合する。
こうして、嵌合固定部品４とヘッドフォン本体１とは一体に結合され、さらに、挟持固定部品４の弾性挟持固定部４２頂点部に形成される挟持固定槽４２１により、野球帽などの帽子Bの両側下縁部を挟持して固定する。
こうして、帽子Bをかぶっている時にも、音楽を聴くことができる(図７、８、９参照)。
【００１６】
本考案の帽子との別種の結合方式は、環状部品５、５２を使用する。
スピーカー台１１側面の円弧状嵌合片１２３により、一面にマジックテープ（登録商標）５３を備える環状部品５中孔５１の孔縁に嵌合する。
これにより、環状部品５とヘッドフォン本体１とは、一体に結合される。
もう１個の環状部品５２の両面には共に、マジックテープ（登録商標）５３を設置する。
環状部品５２のどちらか一面のマジックテープ（登録商標）５３を、先ず帽子A、B表面に粘着させ、次に、ヘッドフォン本体１上に結合するマジックテープ（登録商標）５３を備える環状部品５を、帽子A、B上の環状部品５２外側のマジックテープ（登録商標）５３に粘着させて接合する。
こうして、ヘッドフォン本体１は、帽子A、Bの両側に接着され、取り外し、取り付けに便利となる(図１０、１１参照)。
【００１７】
本考案のヘッドフォン本体１、嵌合固定台２、嵌合固定部品３は、円形の他に、楕円形とすることができる(図６参照)。
嵌合固定部品３とスピーカー台１１側面の円弧状嵌合片１２３内面において、軟質カバー３３を嵌めて設置し、装着の快適感を達成することができる(図２、８参照)。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
１  ヘッドフォン本体
１１  スピーカー台
１２  環状フランジ
１２１  収容設置区
１２２  音貫通孔槽
１２３  円弧状嵌合片
１２３１  嵌合フック部
１２４  スピーカー
１３  スピーカーケースカバー
１４  外カバー蓋
１４１  陥没面
２  嵌合固定台
２１、３１、４１、５１、５２１  中孔
２２  嵌合フック
３  嵌合固定部品
３２  嵌合孔
３３  軟質カバー
４  挟持固定部品
４２  弾性挟持固定部品
４２１  挟持固定槽
５、５２  環状部品
５３  マジックテープ（登録商標）
A、B  帽子
【図１】
0003164772.tif 000003
【図２】
0003164772.tif 000004
【図３】
0003164772.tif 000005
【図４】
0003164772.tif 000006
【図５】
0003164772.tif 000007
【図６】
0003164772.tif 000008
【図７】
0003164772.tif 000009
【図８】
0003164772.tif 000010
【図９】
0003164772.tif 000011
【図１０】
0003164772.tif 000012
【図１１】
0003164772.tif 000013